(57)【要約】【課題】筒部を自在に回転させ、表示窓により情報をランダムに表示することができる押圧装置を提供する。【解決手段】押圧装置は、第１の端部１２、第２の端部１４および表示窓１６を有する保持筒１０と、ユーザが加える力により直線運動を行う、保持筒１０の第１の端部１２に設けられた押ボタン２０と、押ボタン２０に連動する回転モジュール５０と、回転モジュール５０に接続された補助弾性部材８０とを備える。押ボタン２０が押されると、第１ステージを行ってから第２ステージを行う。第１ステージにおいて、駆動部６０により従動部７２が駆動され、少なくとも１つの筒部７０が回転される。第２ステージにおいて、駆動部６０が従動部７２から外れ、第１ステージでユーザにより加えられた力の慣性により少なくとも１つの筒部７０が自在に回転する。【選択図】図２
0003156527.tif 000002
【実用新案登録請求の範囲】
【請求項１】
第１の端部、第２の端部および表示窓を有する保持筒と、
ユーザが加える力により直線運動を行う、前記保持筒の前記第１の端部に設けられた押ボタンと、
前記押ボタンに接続された駆動部と、前記表示窓の位置に対応するように前記保持筒内に設けられ、前記駆動部により駆動される従動部を含む少なくとも１つの筒部と、を有し、前記押ボタンに連動する回転モジュールと、
前記回転モジュールに接続された補助弾性部材と、を備える押圧装置であって、
前記押ボタンが押されると、第１ステージを行ってから第２ステージを行い、
前記第１ステージにおいて、前記駆動部により前記従動部が駆動され、前記少なくとも１つの筒部が回転され、
前記第２ステージにおいて、前記駆動部が前記従動部から外れ、前記第１ステージでユーザにより加えられた力の慣性により前記少なくとも１つの筒部が自在に回転すること、
を特徴とする押圧装置。
【請求項２】
前記押ボタンへユーザが加える力を除去すると、前記第２ステージの後に第３ステージを行い、
前記第３ステージでは、前記駆動部が前記従動部に係合され、前記少なくとも１つの筒部の回転を停止させること、
を特徴とする請求項１に記載の押圧装置。
【請求項３】
前記駆動部は、
ガイド部を含み、前記保持筒の前記第１の端部に設けられた回転軸受けと、
雄ねじ部を含み、前記回転軸受けおよび前記少なくとも１つの筒部の内部に配置された回転軸と、を有し、
前記回転軸は、前記ガイド部に対応するように設けられた前記雄ねじ部により、上下移動に伴い回転すること、
を特徴とする請求項２に記載の押圧装置。
【請求項４】
前記回転軸は、案内突起を有し、
前記少なくとも１つの筒部の前記従動部は、複数の案内ブロックを有し、
前記第１ステージにおいて、前記駆動部により前記従動部が駆動され、前記案内突起により前記案内ブロックのうちの１つが押されること、
を特徴とする請求項３に記載の押圧装置。
【請求項５】
前記少なくとも１つの筒部は複数であること、
を特徴とする請求項２に記載の押圧装置。
【請求項６】
前記駆動部は、
ガイド部を含み、前記保持筒の前記第１の端部に設けられた回転軸受けと、
雄ねじ部を含み、前記回転軸受けおよび前記少なくとも１つの筒部の内部に配置された回転軸と、を有し、
前記回転軸は、前記ガイド部に対応するように設けられた前記雄ねじ部により、上下移動に伴い回転すること、
を特徴とする請求項５に記載の押圧装置。
【請求項７】
前記回転軸は、各前記筒部に対応した複数の案内突起を含み、
前記筒部の前記従動部は、複数の案内ブロックを含み、
前記第１ステージにおいて、前記駆動部により駆動される前記従動部は、前記複数の案内突起により前記筒部の前記案内ブロックのうちの１つを押すこと、
を特徴とする請求項６に記載の押圧装置。
【請求項８】
押圧式書写装置である押圧装置であって、
筆記先端を含み、前記保持筒の内部に収納される筆芯と、
前記押ボタンに力が加えられると、前記保持筒の前記第２の端部から前記筆記先端が出し入れされる押圧モジュールと、
前記筆芯に外嵌されている筆芯弾性部材と、をさらに備えること、
を特徴とする請求項２から７のいずれか一項に記載の押圧装置。
【考案の詳細な説明】
【技術分野】
【０００１】
本考案は押圧装置に関し、特に、押圧式書写装置、玩具、またはキーリング、ネックレス、携帯電話に取り付ける装飾品、アクセサリーなどとして用いる長柱状の押圧装置に関する。
【背景技術】
【０００２】
ウィンドウペン（ｗｉｎｄｏｗ  ｐｅｎ）とは、長い間開発が続けられている押圧ペン（ｐｒｅｓｓ  ｐｅｎ）である。このウィンドウペンは、ユーザがペンを押す毎に、保持筒上の窓部に様々な情報（例えば、文字、模様など）を表示させることができる。ウィンドウペンの主な原理は、押圧ペンが押圧される毎に、筆芯を僅かに回転させる。従来技術では、この構造の特色を利用し、複数の情報（例えば、文字、模様など）が印刷された筒部（ｂａｒｒｅｌ）が筆芯に結合され、ペンキャップ（ｐｅｎ  ｃａｐ）が押圧される毎に、筒部が回転する。これにより、筒部の複数の情報を窓部に順次表示させることができる（例えば、特許文献１〜５）。
【０００３】
しかし、複数の情報を順次表示させる上述の方式では、慣れると次に現れる情報を予測することができるようになるため、ユーザにすぐ飽きられるおそれがあった。そのため、複数の情報を窓部へランダムに表示させることにより、ユーザにすぐ飽きられないようにする必要があった。
【０００４】
従来、ウィンドウペンには、基本的に筒部が１つしか設けられていなかったため、表示できる情報には限界があった。そのため、例えば、３つなど複数の筒部を設け、ペンキャップが押圧される毎に、３つの筒部が回転して停止すると、異なる情報がランダムに表示されるため、ユーザの興味を引きつけることができる。３つの筒部が回転するものとしてはスロットマシーン（ｓｌｏｔ  ｍａｃｈｉｎｅ）の機構がある（例えば、特許文献６〜１３）。しかし、特許文献６〜１３では、基本的に筒部の軸心の側部に筒部の駆動機構を設ける必要があり、既存のスロットマシーンの機構をウィンドウペンに応用することは非常に困難であった。特に、保持筒中の空間が非常に小さいため、駆動機構を収納するには、筒部の直径を保持筒の直径の半分以下にしなければならなかった。そのため、筒部の情報が非常に少なかった。従来のウィンドウペンでは、自在に回転する複数の筒部は開示されていなかったが、複数の筒部をウィンドウペンに応用する方式でも、保持筒の空間が非常に小さいという問題を解決する必要があった。
【先行技術文献】
【特許文献】
【０００５】
【特許文献１】米国特許第２８９６３４８号明細書
【特許文献２】米国特許第２９７１２８３号明細書
【特許文献３】米国特許第３３４３２９３号明細書
【特許文献４】米国特許第６３８６７８０号明細書
【特許文献５】米国特許第６７４２９５３号明細書
【特許文献６】米国特許第３５６５４４１号明細書
【特許文献７】米国特許第４００２３３５号明細書
【特許文献８】米国特許第４０３７８４５号明細書
【特許文献９】米国特許第４０９７０４８号明細書
【特許文献１０】米国特許第４２６１５７１号明細書
【特許文献１１】米国特許第４４９２３７９号明細書
【特許文献１２】米国特許第４６６６１５９号明細書
【特許文献１３】米国特許第５０５４７８２号明細書
【考案の概要】
【考案が解決しようとする課題】
【０００６】
本考案は、上記に鑑みてなされたものであって、表示窓により情報をランダムに表示する押圧式書写装置などの押圧装置を提供することを目的とする。また、本考案は、筒部を自在に回転させる押圧式書写装置などの押圧装置を提供することをもう一つの目的とする。
【課題を解決するための手段】
【０００７】
上述した課題を解決し、目的を達成するために、請求項１に記載の押圧装置は、第１の端部、第２の端部および表示窓を有する保持筒と、ユーザが加える力により直線運動を行う、前記保持筒の前記第１の端部に設けられた押ボタンと、前記押ボタンに接続された駆動部と、前記表示窓の位置に対応するように前記保持筒内に設けられ、前記駆動部により駆動される従動部を含む少なくとも１つの筒部と、を有し、前記押ボタンに連動する回転モジュールと、前記回転モジュールに接続された補助弾性部材と、を備える押圧装置であって、前記押ボタンが押されると、第１ステージを行ってから第２ステージを行い、前記第１ステージにおいて、前記駆動部により前記従動部が駆動され、前記少なくとも１つの筒部が回転され、前記第２ステージにおいて、前記駆動部が前記従動部から外れ、前記第１ステージでユーザにより加えられた力の慣性により前記少なくとも１つの筒部が自在に回転すること、を特徴とする。
【０００８】
また、請求項２に記載の押圧装置は、請求項１に記載の押圧装置において、前記押ボタンへユーザが加える力を除去すると、前記第２ステージの後に第３ステージを行い、前記第３ステージでは、前記駆動部が前記従動部に係合され、前記少なくとも１つの筒部の回転を停止させること、を特徴とする。
【０００９】
また、請求項３に記載の押圧装置は、請求項２に記載の押圧装置において、前記駆動部は、ガイド部を含み、前記保持筒の前記第１の端部に設けられた回転軸受けと、雄ねじ部を含み、前記回転軸受けおよび前記少なくとも１つの筒部の内部に配置された回転軸と、を有し、前記回転軸は、前記ガイド部に対応するように設けられた前記雄ねじ部により、上下移動に伴い回転すること、を特徴とする。
【００１０】
また、請求項４に記載の押圧装置は、請求項３に記載の押圧装置において、前記回転軸は、案内突起を有し、前記少なくとも１つの筒部の前記従動部は、複数の案内ブロックを有し、前記第１ステージにおいて、前記駆動部により前記従動部が駆動され、前記案内突起により前記案内ブロックのうちの１つが押されること、を特徴とする。
【００１１】
また、請求項５に記載の押圧装置は、請求項２に記載の押圧装置において、前記少なくとも１つの筒部は複数であること、を特徴とする。
【００１２】
また、請求項６に記載の押圧装置は、請求項５に記載の押圧装置において、前記駆動部は、ガイド部を含み、前記保持筒の前記第１の端部に設けられた回転軸受けと、雄ねじ部を含み、前記回転軸受けおよび前記少なくとも１つの筒部の内部に配置された回転軸と、を有し、前記回転軸は、前記ガイド部に対応するように設けられた前記雄ねじ部により、上下移動に伴い回転すること、を特徴とする。
【００１３】
また、請求項７に記載の押圧装置は、請求項６に記載の押圧装置において、前記回転軸は、各前記筒部に対応した複数の案内突起を含み、前記筒部の前記従動部は、複数の案内ブロックを含み、前記第１ステージにおいて、前記駆動部により駆動される前記従動部は、前記複数の案内突起により前記筒部の前記案内ブロックのうちの１つを押すこと、を特徴とする。
【００１４】
また、請求項８に記載の押圧装置は、請求項２乃至７の何れか１項に記載の押圧装置において、押圧式書写装置である押圧装置であって、筆記先端を含み、前記保持筒の内部に収納される筆芯と、前記押ボタンに力が加えられると、前記保持筒の前記第２の端部から前記筆記先端が出し入れされる押圧モジュールと、前記筆芯に外嵌されている筆芯弾性部材と、をさらに備えること、を特徴とする。
【考案の効果】
【００１５】
本考案の押圧装置は、筒部を自在に回転させ、表示窓により情報をランダムに表示することができる。
【図面の簡単な説明】
【００１６】
【図１】本考案の第１実施形態による押圧式書写装置を示す斜視図である。
【図２】本考案の第１実施形態による押圧式書写装置を示す分解斜視図である。
【図３】回転軸の案内突起と筒部の案内ブロックとの位置関係を示す模式図である。
【図４】回転軸の案内突起と筒部の案内ブロックとの位置関係を示す模式図である。
【図５】回転軸の案内突起と筒部の案内ブロックとの位置関係を示す模式図である。
【図６】回転軸の案内突起と筒部の案内ブロックとの位置関係を示す模式図である。
【図７】本考案の第１実施形態による押ボタンが押されないときの状態を示す断面斜視図である。
【図８】本考案の第１実施形態による押ボタンが押されないときの状態を示す縦断面図である。
【図９】回転軸受けのガイド部を示す横断面図である。
【図１０】本考案の第１実施形態による第１ステージにおいて押圧式書写装置の押ボタンを押すときの状態を示す断面斜視図である。
【図１１】本考案の第１実施形態による第１ステージにおいて押圧式書写装置の押ボタンを押すときの状態を示す縦断面図である。
【図１２】本考案の第１実施形態による第２ステージにおいて押圧式書写装置の押ボタンを押すときの状態を示す断面斜視図である。
【図１３】本考案の第１実施形態による第２ステージにおいて押圧式書写装置の押ボタンを押すときの状態を示す縦断面図である。
【図１４】本考案の第１実施形態による第３ステージにおいて押圧式書写装置の押ボタンを押すときの状態を示す断面斜視図である。
【図１５】本考案の第１実施形態による第３ステージにおいて押圧式書写装置の押ボタンを押すときの状態を示す縦断面図である。
【図１６】本考案の第２実施形態による押圧式書写装置を示す断面斜視図である。
【図１７】本考案の第２実施形態による押圧式書写装置を示す分解斜視図である。
【図１８】本考案の第２実施形態による押ボタンが押されないときの状態を示す模式図である。
【図１９】本考案の第２実施形態による押ボタンが押されたときの状態を示す模式図である。
【図２０】本考案の第２実施形態による押ボタンが押されないときの押圧式書写装置を示す横断面図である。
【図２１】本考案の第２実施形態による第１ステージにおける押ボタンの状態を示す横断面図である。
【図２２】本考案の第２実施形態による第２ステージにおける押ボタンの状態を示す横断面図である。
【図２３】本考案の第３実施形態による押圧式書写装置を示す斜視図である。
【図２４】本考案の第３実施形態による押圧式書写装置を示す分解斜視図である。
【図２５】本考案の第３実施形態による回転軸の各案内突起と各筒部の案内ブロックとの位置関係を示す模式図である。
【図２６】本考案の第３実施形態による回転軸の各案内突起と各筒部の案内ブロックとの位置関係を示す模式図である。
【図２７】本考案の第３実施形態による回転軸の各案内突起と各筒部の案内ブロックとの位置関係を示す模式図である。
【図２８】本考案の第３実施形態による回転軸の各案内突起と各筒部の案内ブロックとの位置関係を示す模式図である。
【図２９】図２５の断面斜視図である。
【図３０】図２６の断面斜視図である。
【図３１】図２７の断面斜視図である。
【図３２】図２８の断面斜視図である。
【図３３】本考案の第３実施形態による表示窓を介して３つの筒部が様々な情報をランダムに表示する状態を示す模式図である。
【図３４】本考案の第３実施形態による表示窓を介して３つの筒部が様々な情報をランダムに表示する状態を示す模式図である。
【図３５】本考案の第４実施形態による押圧装置を示す斜視図である。
【図３６】本考案の第４実施形態による押圧装置を示す分解斜視図である。
【図３７】本考案の第５実施形態による押圧装置を示す斜視図である。
【図３８】本考案の第５実施形態による押圧装置を示す分解斜視図である。
【考案を実施するための最良の形態】
【００１７】
以下に添付図面を参照して、この考案に係る押圧装置の各実施の形態を詳細に説明する。
【００１８】
（第１実施形態）
図１〜図７に示すように、本考案の第１実施形態による押圧装置は、保持筒１０、押ボタン２０、筆芯３０、押圧モジュール４０、回転モジュール５０、筆芯弾性部材３５および補助弾性部材８０を主に含む押圧式書写装置１である。
【００１９】
保持筒１０は、第１の端部１２、第２の端部１４および表示窓１６を含む。第１の端部１２と第２の端部１４とは、保持筒１０の両端にそれぞれ設けられている。第１実施形態の表示窓１６は長方形状の開口部である。保持筒１０は、表示窓１６の箇所で、表示窓１６を覆う透明部材１７を有する。
【００２０】
押ボタン２０は、保持筒１０の第１の端部１２に設けられる。筆記先端３２を有する筆芯３０は、保持筒１０中に収納されている。筆芯弾性部材３５は、筆芯３０に外嵌されている。押ボタン２０に力が加えられると、押圧モジュール４０は、筆芯弾性部材３５により保持筒１０の第２の端部１４から筆芯３０を出し入れさせることができる。押圧ペン（ｐｒｅｓｓ  ｐｅｎ）の押圧モジュール４０には、多種類の機構がある従来技術であり、本考案の改良部分ではないため、ここでは詳しく述べない。
【００２１】
回転モジュール５０は、筒部７０と、筒部７０を回転させるために用いる駆動部６０とを含む。
【００２２】
駆動部６０は、回転軸受け６２と回転軸６４との組み合わせにより構成される駆動構造である。回転軸受け６２およびクリップ１１は、保持筒１０の第１の端部１２に固定される。この回転軸受け６２は、貫通孔６２１およびガイド部６２２を含む。
【００２３】
回転軸６４は、回転軸受け６２および筒部７０中に配置される。回転軸６４は、雄ねじ部６４２および１対の案内突起６４４を主に含む。さらに、回転軸６４には、押ボタン２０と接続させることができるように、位置決め凸部６４６が端部に設けられている。押ボタン２０の内側には、位置決め凹部２２が設けられている。位置決め凸部６４６と位置決め凹部２２とは、互いに接続させることができるように、サイズおよび位置が互いに対応している。
【００２４】
さらに、補助弾性部材８０（例えば、スプリング）は、一方の端部が回転軸受け６２と入れ子式で接続され、他方の端部が押ボタン２０に当接されている。
【００２５】
筒部７０は、表示窓１６に対応した位置で保持筒１０中に配置される。筒部７０の外側には、様々な情報を有する情報表示部７４（例えば、文字、模様など）が印刷されたり貼られたりしており、筒部７０中には従動部７２が配置されている。図３に示すように、本実施形態の従動部７２は、等距離に配列された６つの案内ブロック７６を含む。各案内ブロック７６は、長壁部７６１、傾斜壁７６２および短壁部７６３を有する略階段状に形成され、各案内ブロック７６間には案内溝７６４が形成されている。
【００２６】
以下、図２〜図１４に基づいて本考案の第１実施形態による押圧式書写装置１の作動方式を説明する。説明の便宜上、以下では４つのステージに分けて説明する。
【００２７】
（１）初期ステージ
図２、図３、図７および図８に示すように、初期ステージとは、筆芯３０の筆記先端３２が保持筒１０から出ていない状態である。押ボタン２０および回転軸６４は、最上方に位置し、案内突起６４４は、案内溝７６４の上縁に位置する。
【００２８】
（２）第１ステージ（駆動ステージ）
図４、図１０および図１１に示すように、第１ステージでは、筒部７０へ力を加える。図９に示すように、本考案の第１実施形態では、ユーザが押ボタン２０を押下すると、貫通孔６２１の中央箇所にある２つの凸縁にガイド部６２２が位置し、貫通孔６２１に回転軸６４が下向きに貫設されると、雄ねじ部６４２によりガイド部６２２がガイドされ、回転軸６４を回転させる（本実施形態では時計回りに回転させる。）。この際、案内突起６４４も下向きに移動して回転し、案内ブロック７６の長壁部７６１が案内突起６４４により押されるに伴い、筒部７０も回転される。第１ステージでは、図３の案内溝７６４の上縁位置から図５の案内溝７６４の下縁位置へ案内突起６４４が移動する。ここで、案内突起６４４は少なくとも１つ、最も多い場合でも案内溝７６４と同じ数を有する（第１実施形態では６つ有する。）。
【００２９】
（３）第２ステージ（回転自在ステージ）
図５、図１２および図１３に示すように、第１ステージに続いて行う第２ステージでは、回転軸６４が下向きに移動し続け、従動部７２から駆動部６０が外れると、案内溝７６４から案内突起６４４が外れる。そのため、案内ブロック７６の長壁部７６１が案内突起６４４により押され、案内突起６４４と案内ブロック７６との係合が解除される。そして、案内突起６４４が従動部７２から完全に外れると、慣性により筒部７０が自在に回転する。
【００３０】
図１２に示すように、第１ステージおよび第２ステージでは、筆芯３０が回転軸６４により押下され、保持筒１０から筆芯３０が出るときの状態となる。
【００３１】
（４）第３ステージ（位置決めステージ）
図６、図１４および図１５に示すように、第３ステージでは、押ボタン２０に加える力が除去されると、筆芯弾性部材３５および補助弾性部材８０の作用により、回転軸６４が上向きに移動する。これにより、案内突起６４４が案内溝７６４へ再び入る。ここで、案内溝７６４の下縁は、案内ブロック７６の形状により非常に大きい。そのため、筒部７０が回転するときに、案内溝７６４へ案内突起６４４が入りやすくなる。最後に案内突起６４４が図３の位置に戻る。回転軸６４が上向きに移動すると、同様にガイド部６２２が雄ねじ部６４２により案内され、回転軸６４が回転する（本実施形態では逆時計回りに回転させる。）。案内突起６４４は、最後に案内ブロック７６に当接され、筒部７０の回転が停止する。
【００３２】
本実施形態の筒部７０は、６つの案内ブロック７６と、６つの案内溝７６４とを有する。筒部７０は、６種類の異なる情報表示部７４がその外側に印刷されている。上述の構成により、６種類のそれぞれ異なる情報表示部７４が、表示窓１６を介してランダムに表示される。本実施形態では案内突起６４４が２つであるが、他の実施形態では１つでもよい。また、本実施形態では案内溝７６４が６つであり、案内突起６４４は３〜６つである。ここで、押圧力およびバランスを考慮した場合、案内突起６４４が複数あり、各案内突起６４４間のなす角度が同じであり、筒部が複数あるため（第３実施形態を参照する。）、ガイド凸部も複数対あることが好ましい。当然、案内ブロック７６の数は、増減させることができるが、少なくとも３つであることが好ましい。
【００３３】
以上の第１ステージ〜第３ステージでは、筆芯３０の筆記先端３２が収納された状態から保持筒１０から出るまでの状態を説明する。ユーザが押ボタン２０を再び押圧すると、筆記先端３２から出た状態から保持筒１０に収納された状態へ変化するが、その過程は第１ステージ〜第３ステージに類似する。補助弾性部材８０により押ボタン２０が元の位置に戻され（図１４に示す）、ユーザが再び押ボタン２０を押圧すると、第１ステージ〜第３ステージのように回転軸６４により筒部７０が作動される。
【００３４】
（第２実施形態）
図１６〜図２０に示すように、本考案の第２実施形態による押圧装置は、例えば押圧式書写装置１ａである。この押圧式書写装置１ａは、保持筒１０ａ、押ボタン２０ａ、筆芯３０ａ、押圧モジュール４０ａ、回転モジュール５０ａおよび筆芯弾性部材３５ａを主に含む。第２実施形態の押圧装置は、駆動部６０ａおよび従動部７２ａの構造が第１実施形態と異なる。ここで、第２実施形態の押圧モジュール４０ａは、第１実施形態の押圧モジュール４０と異なるが、筆芯をカートリッジから出し入れするために用いる押圧モジュール４０ａは従来技術であるため、その構造についてはここでは詳しく述べない。
【００３５】
第２実施形態の駆動部６０ａは、曲面部６６およびスライス体６７を含む。曲面部６６は、押ボタン２０ａと摺動可能に接触されている。スライス体６７は、曲面部６６と接続され、保持筒１０ａ中に位置が拘束されながら保持筒１０ａに対して垂直方向に移動させることができる。
【００３６】
スライス体６７は、開口部６７１および凸部６７２を含む。開口部６７１中には、凸部６７２が接続された従動部７２ａが設けられる。第２実施形態の従動部７２ａは、６つの歯部を有する歯車であるが、歯部の数は６つだけに限定されるわけではない。
【００３７】
スライス体６７は、力受容部６７３をさらに含む。保持筒１０ａの内側には、スライス体収容溝１８ａと、少なくとも１つの第１の補助弾性部材位置決め部１９ａとが設けられている。このスライス体収容溝１８ａは、スライス体６７の一部を収納するために用いられる。
【００３８】
第２実施形態の押圧式書写装置１ａは、少なくとも１つの第１の補助弾性部材８２ａと、第２の補助弾性部材８４ａとをさらに備える。各第１の補助弾性部材８２ａの両端は、各力受容部６７３と、各第１の補助弾性部材位置決め部１９ａとにそれぞれ当接され、第１の補助弾性部材８２ａによりスライス体６７が元の位置に戻される。
【００３９】
押圧式書写装置１ａは、押ボタン２０ａと筆芯３０ａとにそれぞれ両端が接続された駆動シャフト９０を含む。駆動シャフト９０は、第２の補助弾性部材８４ａ、筒部７０ａ、従動部７２ａおよび駆動部６０ａへ下から上にかけて貫設されている（図１７に示す）。
【００４０】
以下、図面に基づいて本考案の第２実施形態の作動方式を４つのステージにより説明する。
【００４１】
（１）初期ステージ
図１７、図１８および図２０を参照する。図１８は、本考案の第２実施形態による押圧部材が作動しないときの押圧式書写装置１ａを示す縦断面図である。
【００４２】
図１７、図１８および図２０に示すように、押ボタン２０ａが押圧されていないため、駆動部６０ａの曲面部６６は押ボタン２０ａにより駆動されていない状態である。
【００４３】
（２）第１ステージ（駆動ステージ）
図１７、図１９および図２１を参照する。図１７、図１９および図２１に示すように、第１ステージにおいて、押ボタン２０ａが下方（図１９の下向きの矢印方向）へ移動すると、保持筒１０ａに対して垂直方向（図１９の左方向への矢印方向）へ曲面部６６を移動させ、スライス体６７の凸部６７２が左へ（図２１の矢印が示す方向）移動し、従動部７２ａの１つの歯部に当たり、筒部７０ａが回転する。
【００４４】
（３）第２ステージ（回転自在ステージ）
図１７および図２２を参照する。図１７および図２２に示すように、第２ステージでは、押ボタン２０ａによりスライス体６７が左へ（図２２の左側の矢印が示す方向へ）移動し続け、凸部６７２から従動部７２ａを外し、従動部７２ａはユーザが加える力の慣性により自在に回転され、筒部７０ａを自在に回転させることができる。
【００４５】
（４）第３ステージ（位置決めステージ）
図１７、図１８および図２０を参照する。図１７、図１８および図２０に示すように、第３ステージにおいて、押ボタン２０ａに加えられる力が除去されると、駆動部６０ａが第１の補助弾性部材８２ａの作用により、図２２に示す位置から図２０に示す位置へスライス体６７が戻り、スライス体６７は、位置決め部６７４により従動部７２ａを位置決めすることができる。
【００４６】
従動部７２ａの歯数は情報表示部７４の数と完全に同じであり、筒部７０ａの情報表示部７４の１つが表示窓１６ａに向けられる。
【００４７】
（第３実施形態）
図２３〜図３２に示すように、本考案の第３実施形態による押圧装置は、例えば、押圧式書写装置１ｂである。第３実施形態による押圧式書写装置１ｂは、保持筒１０、押ボタン２０ｂ、筆芯３０、押圧モジュール４０、回転モジュール５０ｂ、筆芯弾性部材３５および補助弾性部材８０ｂを主に含む点が、第１実施形態の押圧式書写装置１と類似するが、回転モジュール５０ｂの部分は第１実施形態と異なる。
【００４８】
回転モジュール５０ｂは、上下に配列された３つの筒部７０ｂを含む。各筒部７０ｂは、６つの案内ブロック７６ｂをそれぞれ含む従動部７２ｂを有する。実際には、筒部７０ｂは、第１実施形態の筒部７０に類似するが、筒部７０よりも短い。
【００４９】
回転モジュール５０ｂは駆動部６０ｂを含み、駆動部６０ｂは、回転軸受け６２ｂおよび回転軸６４ｂを含む。回転軸受け６２ｂは、クリップ１１ｂに接続され、回転軸受け６２ｂは、第１実施形態と同様に貫通孔６２１ｂおよびガイド部６２２ｂ（第１実施形態の図９を参照する。）を含み、回転軸６４ｂは上下への移動に従い回転する。回転軸６４ｂは、各筒部７０ｂの従動部７２ｂにそれぞれ対応した３対の案内突起６４４ｂを含む。
【００５０】
第３実施形態の補助弾性部材８０ｂは、回転軸６４ｂの下方に配置されている。この補助弾性部材８０ｂは、押ボタン２０ｂに力が加えられないとき、回転軸６４ｂを上頂部に移動させ、押ボタン２０ｂを最上方へ戻す。
【００５１】
以下、本考案の第３実施形態による押圧式書写装置１ｂを、図面に基づいて４つのステージで説明する。
【００５２】
（１）初期ステージ
図２４、図２５および図２９を参照する。図２４、図２５および図２９に示すように、押ボタン２０および回転軸６４ｂが最上方に位置するとき、各案内突起６４４ｂが各案内溝７６４ｂの上方に位置する。
【００５３】
（２）第１ステージ（駆動ステージ）
図２４、図２６および図３０に示すように、ユーザにより押ボタン２０ｂが押下されると、回転軸６４ｂが下向きに移動しながら回転し（本実施形態では、時計回りに回転する。）、案内ブロック７６ｂが案内突起６４４ｂにより押されると、それに伴い各筒部７０ｂも回転する。この動作原理については、第１実施形態を参照する。
【００５４】
（３）第２ステージ（回転自在ステージ）
図２４、図２７および図３１に示すように、各案内溝７６４ｂから各案内突起６４４ｂが外れると、慣性により各筒部７０ｂが自在に回転できるようになる。この動作原理については、第１実施形態を参照する。
【００５５】
（４）第３ステージ（位置決めステージ）
図２４、図２８および図３２に示すように、押ボタン２０ｂの力が除去されると、筆芯弾性部材３５および補助弾性部材８０ｂの作用により、回転軸６４ｂを上向きに移動させる。これにより、各案内突起６４４ｂが各案内溝７６４ｂへ再び入る。この動作原理については、第１実施形態を参照する。
【００５６】
図３３および図３４に示すように、第３実施形態では、押ボタン２０ｂが押圧される毎に３つの筒部７０ｂがそれぞれ回転し、３つの筒部７０ｂの回転が停止すると、表示窓１６により様々な情報表示部７４ｂがランダムに表示される。さらに、押圧式書写装置１ｂは、回転軸受け６２ｂがクリップ１１ｂと結合されているため、構成要素を１つ減らすことができる点が第１実施形態と異なる。
【００５７】
筒部７０ｂの数は、２つに変更したり、回転軸６４ｂの案内突起６４４ｂを２対に変更したりしてもよい。案内突起６４４ｂは、筒部７０ｂが１つだけの場合、第１実施形態と同様に１対だけ必要となる。さらに、押圧式書写装置１ｂは、音声または光を発生させる電子部品をペン内部に配置し、押圧部材が押圧されたときに音声および光が発生するようにしてもよい。
【００５８】
本考案で最も特徴的な部分は回転モジュール５０である。この回転モジュール５０は、狭くて長い管状物内に配置させることができる。そのため、回転モジュール５０は、押圧式書写装置１ｂの外側に配置してもよいし、如何なる長形状の管状物内に配置してもよい。
【００５９】
（第４実施形態）
図３５および図３６に示すように、第４実施形態の押圧装置１ｃは、表示窓１６ｃを有する保持筒１０ｃと、押ボタン２０ｃと、回転モジュール５０ｃと、補助弾性部材８０ｃとを含む。回転モジュール５０ｃは、駆動部６０ｃおよび筒部７０ｃを含む。第１実施形態および第３実施形態の回転モジュール５０ｃの機構および機能を参照する。第４実施形態には、押圧装置１ｃが上述の実施形態の筆芯弾性部材３５を有さないため、回転モジュール５０ｃに接続した補助弾性部材８０ｃは、押ボタン２０ｃを元の位置に戻すために必要な構成要素である（上述の実施形態の第３ステージ）。押圧装置１ｃは、玩具、またはキーリング、ネックレス、携帯電話に取り付ける装飾品、アクセサリーなどに用いてもよい。
【００６０】
図３７および図３８に示すように、本考案の第４実施形態による押圧装置１ｄの回転モジュール５０ｄは、配列された３つの筒部７０ｄ（例えば、第３実施形態の押圧式書写装置１ｂに類似する。）を含む点が図３５の押圧装置１ｃと異なる。押圧装置１ｄは、押圧装置１ｃと同様に、表示窓１６ｄを有する保持筒１０ｄと、押ボタン２０ｄと、回転モジュール５０ｄと、回転モジュール５０ｄと接続された補助弾性部材８０ｄとを含む。回転モジュール５０ｄは、駆動部６０ｄおよび筒部７０ｄを含む。
【００６１】
押圧装置１ｃ、１ｄは、何れも上述の初期ステージ、第１ステージ、第２ステージおよび第３ステージを行う。回転モジュール５０ｃ、５０ｄの詳細な構造（例えば、回転軸受け、回転軸、案内突起、従動部、案内ブロックなど）については、第１実施形態および第３実施形態を参照する。押ボタン２０ｃ、２０ｄと回転モジュール５０ｃ、５０ｄとの間の動作については、第１実施形態および第３実施形態において既に説明しているため、ここでは詳しく述べない。
【００６２】
以上、当該技術分野の当業者が実施できるように、本考案の好適な実施形態を開示したが、これらは決して本考案を限定するものではない。当然、本考案の主旨と領域を脱しない範囲内で各種の変更や修正を加えることができる。例えば、補助弾性部材８０、８０ｂが無い場合、筆芯３０の筆記先端３２が保持筒１０から出されると、押ボタン２０、２０ｂが僅かに上方へ移動し（図１４および図３２に示すように、押ボタン２０、２０ｂが完全に最上面へ戻らない。）、押ボタン２０、２０ｂを再び押すと、筒部７０、７０ｂを回転させることができるが、この回転効果は理想的でなかった。さらに他の実施形態では、表示窓１６、１６ａが占有する部分が、保持筒の一部だけであるが、この表示窓の占有部分は拡大させてもよい。例えば、この表示窓により３６０度の角度で保持筒の一部を覆ったり、保持筒自体を透明または半透明の表示窓に形成してもよい。このように、保持筒の少なくとも一部を透明または半透明にして、筒部の表示情報を見ることができるようにしてもよい。
【００６３】
当該技術分野の当業者が実施できるように、本考案の好適な実施形態を前述の通り開示したが、これらは決して本考案を限定するものではない。本考案の主旨と領域を脱しない範囲内で各種の変更や修正を加えることができる。従って、本考案の実用新案登録請求の範囲は、このような変更や修正を含めて広く解釈されるべきである。
【符号の説明】
【００６４】
１ｃ、１ｄ  押圧装置
１、１ａ、１ｂ  押圧式書写装置
１０、１０ａ、１０ｃ、１０ｄ  保持筒
１１、１１ｂ  クリップ
１２、１２ａ  第１の端部
１４、１４ａ  第２の端部
１６、１６ａ、１６ｃ、１６ｄ  表示窓
１７  透明部材
１８ａ  スライス体収容溝
１９ａ  第１の補助弾性部材位置決め部
２０、２０ａ、２０ｂ、２０ｃ、２０ｄ  押ボタン
２２  位置決め凹部
３０、３０ａ  筆芯
３２  筆記先端
３５、３５ａ  筆芯弾性部材
４０、４０ａ  押圧モジュール
５０、５０ａ、５０ｂ、５０ｃ、５０ｄ  回転モジュール
６０、６０ａ、６０ｂ、６０ｃ、６０ｄ  駆動部
６２、６２ｂ  回転軸受け
６４、６４ｂ  回転軸
６６  曲面部
６７  スライス体
７０、７０ａ、７０ｂ、７０ｃ、７０ｄ  筒部
７２、７２ａ、７２ｂ  従動部
７４、７４ｂ  情報表示部
７６、７６ｂ  案内ブロック
８０、８０ｂ、８０ｃ、８０ｄ  補助弾性部材
８２ａ  第１の補助弾性部材
８４ａ  第２の補助弾性部材
９０  駆動シャフト
６２１、６２１ｂ  貫通孔
６２２、６２２ｂ  ガイド部
６４２  雄ねじ部
６４４、６４４ｂ  案内突起
６４６  位置決め凸部
６７１  開口部
６７２  凸部
６７３  力受容部
６７４  位置決め部
７６１  長壁部
７６２  傾斜壁
７６３  短壁部
７６４、７６４ｂ  案内溝
【図１】
0003156527.tif 000003
【図２】
0003156527.tif 000004
【図３】
0003156527.tif 000005
【図４】
0003156527.tif 000006
【図５】
0003156527.tif 000007
【図６】
0003156527.tif 000008
【図７】
0003156527.tif 000009
【図８】
0003156527.tif 000010
【図９】
0003156527.tif 000011
【図１０】
0003156527.tif 000012
【図１１】
0003156527.tif 000013
【図１２】
0003156527.tif 000014
【図１３】
0003156527.tif 000015
【図１４】
0003156527.tif 000016
【図１５】
0003156527.tif 000017
【図１６】
0003156527.tif 000018
【図１７】
0003156527.tif 000019
【図１８】
0003156527.tif 000020
【図１９】
0003156527.tif 000021
【図２０】
0003156527.tif 000022
【図２１】
0003156527.tif 000023
【図２２】
0003156527.tif 000024
【図２３】
0003156527.tif 000025
【図２４】
0003156527.tif 000026
【図２５】
0003156527.tif 000027
【図２６】
0003156527.tif 000028
【図２７】
0003156527.tif 000029
【図２８】
0003156527.tif 000030
【図２９】
0003156527.tif 000031
【図３０】
0003156527.tif 000032
【図３１】
0003156527.tif 000033
【図３２】
0003156527.tif 000034
【図３３】
0003156527.tif 000035
【図３４】
0003156527.tif 000036
【図３５】
0003156527.tif 000037
【図３６】
0003156527.tif 000038
【図３７】
0003156527.tif 000039
【図３８】
0003156527.tif 000040